(57)【要約】【課題】リング状加圧部材の時点によって、チューブが自転方向に引っ張られて変形し、且つ伸びて折れ曲がる等の課題を解決する。【解決手段】偏芯ローターに連携して回転するチューブ隔離部材を、リング状加圧部材とチューブの間に挿入し、チューブがリング状加圧部材にくっつく現象を防止し、且つチューブ隔離部材がチューブに接触して、自転方向と逆方向に回転することによって、チューブを逆方向に押し戻すよう構成されている。あるいは偏芯ローターに連携して回転するチューブ復帰部材を、扁平上に押しつぶされたチューブに押しあてて、チューブを円形状に復帰させて、チューブがリング状加圧部材にくっつく現象を防止し、且つチューブ復帰部材がチューブを逆方向に押し戻す付勢手段を、偏芯ローターの一部分として構成することによって、チューブ引っ張り防止部材を別構成する必要がなく、安価に目的を達成するものである。【選択図】図１
2009185799.tif 000002
【特許請求の範囲】
【請求項１】
ハウジング本体に形成された円筒室の内周面に沿わせて、チューブをリング状に配置し、チューブの内側に設けたリング状加圧部材を、偏芯ローターにより上記内周面に沿って偏芯運動させることにより、チューブのリング状部材を一方向に順次圧迫して、チューブ内の流体を送出するチューブポンプに於いて、
偏芯ローターに連携して回転するチューブ隔離部材を、リング状加圧部材とチューブの間に挿入したことを特徴とするチューブポンプ。
【請求項２】
偏芯ローターに連携して回転するチューブ復帰部材で、チューブを円筒室底面に押し付けるごとく構成したことを特徴とするチューブポンプ。
【発明の詳細な説明】
【技術分野】
【０００１】この発明は、円筒室の内周面に沿わせてリング状に配置したチューブを、その内側に配置されて偏芯運動するリング状加圧部材により、一方向に圧迫してポンプ作用を行うチューブポンプに関する。
【背景技術】
【０００２】  この種のチューブポンプは、リング状加圧部材の偏芯運動に伴って、リング状加圧部材の外周面と円筒室の内周面との半径差に対応して、偏芯ローターの回転方向と逆方向の回転（この回転を本件出願に於いては「自転」という）が、リング状加圧部材に生じ、リング状加圧部材によるチューブ圧迫部分に、チューブを自転方向に引っ張る力が発生し、チューブはリング状加圧部材に巻きつく現象が起こる。このためチューブは更に自転方向に引っ張られ、チューブ断面が扁平状になり、断面積が減少する。このためチューブポンプは、液体流量が減少すると共に、チューブが伸びて、チューブの円筒室への導入口付近ではチューブが折れ曲がって、液体流量を阻害するようになる。また、チューブのリング状加圧部材への巻きつき現象が発生することによりモーター負荷が増大し、チューブの折れ曲がりは、チューブ損傷を引き起こし、ポンプ寿命が短くなる。【０００３】  前記現象による引っ張り力を軽減し、円筒室やリング状加圧部材との摩擦などによるチューブの損傷を改善するために、グリースなどの潤滑剤を、チューブやその周辺に塗布する事が一般的に行われている。この潤滑剤の効果を長期にわたって保存するために、リング状加圧部材にグリース溜めを設けて、リング状加圧部材のグリース溜めからリング状加圧部材の外周面に潤滑剤を供給することが提案されており、また機械的な回転止め機構を設けて、リング状加圧部材の回転を規制する事も行われている（特許文献１参照）。また、チューブに対する保持手段を設けてチューブが移動しないようにすることも行われている（特許文献２参照）。
【特許文献１】特開平１１−１３６４８号広報
【特許文献２】特開２００６−２９１６１号広報
【発明の開示】
【発明が解決しようとする課題】
【０００４】  この発明はこれ等の点に着目し、チューブが自転方向に引っ張られる現象をなくすために、チューブとリング状加圧部材の間を隔離し、且つチューブを自転方向と反対方向に押し戻し、チューブを安定して保持することを目的としたものである。
【課題を解決するための手段】
【０００５】  上記の課題を達成するために、この発明のチューブポンプでは、偏芯運動に伴って発生する、リング状加圧部材の自転による、チューブ引っ張りを打ち消すために、チューブがリング状加圧部材に巻き込まれることを防止する、とともにチューブを逆方向に押し戻す付勢手段を設けている。この付勢手段は、偏芯ローターと一体に構成することが可能なため、安価で量産可能な技術を提供できる。
【発明の効果】
【０００６】  上記の付勢手段は、偏芯ローターに連携して回転するチューブ隔離部材を、リング状加圧部材とチューブの間に挿入し、チューブがリング状加圧部材にくっつく現象を防止し、且つチューブ隔離部材がチューブに接触して、自転方向と逆方向に回転することによって、チューブを逆方向に押し戻すよう構成されている。【０００７】  あるいは偏芯ローターに連携して回転するチューブ復帰部材を、扁平上に押しつぶされたチューブに押しあてて、チューブを円形状に復帰させて、チューブがリング状加圧部材にくっつく現象を防止し、且つチューブ復帰部材がチューブを逆方向に押し戻す付勢手段を、偏芯ローターの一部分として構成することによって、チューブ引っ張り防止部材を別構成する必要がなく、安価に目的を達成するものである。
【発明を実施するための最良の形態】
【０００８】  この発明では、チューブがリング状加圧部材にくっつくことを防止し、且つチューブを逆方向に押し戻すチューブ隔離部材を、偏芯ローターの一部分として構成することによって、チューブ引っ張り防止部材を別構成する必要がなく、安価に目的を達成するものである。
【実施例】
【０００９】  図１乃至図３は第１の実施例を示すもので、図１は要部の概略断面図、図２は主要部材の配置を示す要部の概略正面図、図３は動作原理の説明図である。図において１は内部に円筒室２を形成した本体ケース１ａと蓋１ｂとで構成されるポンプハウジング、３は円筒室２の内周面に沿わせて、リング状に配置されたチューブであり、その両端の導出部３ａは、ポンプハウジング１に形成されている開口部から、ポンプハウジング１の外部に引き出されているか、開口部付近でポンプハウジング１に固定されている。４はチューブ３の内側に配置されたリング状加圧部材、５はリング状加圧部材４の内側に配置された偏芯ローター、偏芯ローター５はモーター軸７に固定されている。６は偏芯ローター５に、チューブ３に隣接して設けられているチューブ隔離部材であり、チューブ３とチューブ隔離部材６間は直接接触しているか、あるいは介在物を介して接触している。上記のチューブ隔離部材６は偏芯ローター５に、一体構成あるいは別体組み込み部材として構成されており、チューブ隔離部材６と偏芯ローター５は、その回転中心がポンプハウジング１に回転可能に支持されている。【００１０】  当実施例のチューブポンプはポンプ駆動用モーターが駆動されると偏芯ローター５が回転し、リング状加圧部材４が偏芯運動しチューブ３を一方向に順次圧迫してポンプ作用が行われる。このようなポンプとしての基本的な動作は周知のチューブポンプと代わるところはないので、詳細な説明は省略する。【００１１】  図３により付勢手段の動作を述べる。今、偏芯ローターに連携して回転するチューブ隔離部材６が、時計方向に回転してリング状加圧部材４が偏芯運動すると、この偏芯運動に伴ってリング状加圧部材４には円筒室２の内周面との半径差に応じて破線矢印のように反時計方向の回転力が作用（自転）し、何も対策を施さなければリング状加圧部材４の自転により、チューブ３が少しずつ反時計方向に引っ張られることになる。チューブ３が反時計方向へ引っ張られる力に対して、何らかの手段でチューブを時計方向に押し戻す力を与えれば、チューブの移動を防止することができる。【００１２】  この発明はこの点に着目したものであり、チューブ隔離部材６は、チューブ３とリング状加圧部材４の間に挿入され、リング状加圧部材にくっついたチューブを引き離す。更に時計方向に回転するチューブ隔離部材６は、チューブに直接あるいは介在物を介して接触しているので、チューブ隔離部材６とチューブ３の間の摩擦力に応じて時計方向へのチューブを押し戻す力を発生させる。このとき、リング状加圧部材４に作用する自転により生じる、反時計方向へのチューブ３への引っ張り力と、チューブ隔離部材６による、時計方向へのチューブ３への押し戻し力が働くので、チューブの位置を安定させることができる。【００１３】  図５と図６は前記請求項２の実施例の要部の概略断面図と概略正面図を示し、請求項１のチューブ復帰部材８以外は請求項１の説明に準じる。
図５と図６においてチューブ復帰部材８は、リング状加圧部材４によって扁平状にされたチューブ３を、円筒室底面に強制的に押しあてることによって、チューブ３は断面が円形に復元し、チューブ３の断面が扁平状のときよりも、チューブ３とリング状加圧部材４との間の摩擦が軽減され、且つチューブ復帰部材８をチューブ３に押しあてることによる摩擦により、チューブ３が時計方向に押し戻され、チューブの位置を安定させることができる。またチューブ３の断面が円形に復元することにより、チューブ３の断面積は扁平状のときよりも増大し、液体流量の低下を防止することができる。チューブ隔離部材６とチューブ復帰部材８は一体に設けてもよい。
【産業上の利用可能性】
【００１４】  この発明は各種のチューブポンプに適用することができる。
【図面の簡単な説明】
【００１５】
【図１】この発明の請求項１の実施例の要部の概略断面図である。
【図２】同実施例の要部の概略正面図である。
【図３】同実施例の動作原理の説明図である。
【図４】この発明の請求項１の実施例の要部の概略断面図である。
【図５】同実施例の要部の概略正面図である。
【図６】従来実施例の概略正面図である。
【図７】同実施例の概略断面図である。
【符号の説明】
【００１６】１  ポンプハウジング
２  円筒室
３  チューブ
４  リング状加圧部材
５  偏芯ローター
６  チューブ隔離部材
７  回転軸
８  チューブ復帰部材
１１ポンプ駆動用モーター
【図１】
2009185799.tif 000003
【図２】
2009185799.tif 000004
【図３】
2009185799.tif 000005
【図４】
2009185799.tif 000006
【図５】
2009185799.tif 000007
【図６】
2009185799.tif 000008
【図７】
2009185799.tif 000009